(57)【特許請求の範囲】
【請求項１】
無線ネットワークノード（２０）において実行される、送信フィードバックを受信する方法であって、
送信特性のセットを用いて、受信側のワイヤレスデバイス（１０）へトランスポートブロックを送信すること（Ｓ１）と、
前記受信側のワイヤレスデバイス（１０）から、前記受信側のワイヤレスデバイス（１０）における前記トランスポートブロックの受信及び成功裏の復号を確認する確認応答（ＡＣＫ）を受信すること（Ｓ２）と、前記ＡＣＫは、前記復号の復号マージンを定義することと、
を含み、
前記復号マージンは、前記トランスポートブロックの前記受信及び／又は復号の期間中にアクティブ化され又は使用されるハードウェアユニットの数を指し示し、前記ハードウェアユニットは受信機ブランチまたは受信機アンテナである、方法。
【請求項２】
前記復号マージンに基づいて、前記受信側のワイヤレスデバイス（１０）への１つ以上のさらなるトランスポートブロックの送信のために使用されるように前記送信特性を再構成するステップ（Ｓ３）、
を含む、請求項１の方法。
【請求項３】
再構成された前記送信特性を用いて、前記受信側のワイヤレスデバイス（１０）へ１つ以上のさらなるトランスポートブロックを送信するステップ（Ｓ４）、
を含む、請求項２の方法。
【請求項４】
前記再構成すること（Ｓ３）は、前記受信側のワイヤレスデバイス（１０）への１つ以上のさらなるトランスポートブロックの送信のロバスト性を、前記トランスポートブロックの前記送信のロバスト性に対して変更すること、を含む、請求項２〜３のいずれかの方法。
【請求項５】
前記再構成すること（Ｓ３）は、前記復号マージンが予め定義されるレベルを下回る場合に、前記トランスポートブロックの前記送信のロバスト性よりも高いロバスト性に対応する送信特性を選択すること、を含む、請求項２〜４のいずれかの方法。
【請求項６】
前記再構成すること（Ｓ３）は、前記復号マージンが予め定義されるレベルを上回る場合に、前記トランスポートブロックの前記送信のロバスト性よりも低いロバスト性に対応する送信特性を選択すること、を含む、請求項２〜５のいずれかの方法。
【請求項７】
前記無線ネットワークノード（２０）と前記ワイヤレスデバイス（１０）との間の、送信特性の前記セットを用いて送信される前回の及び現在のトランスポートブロックの前記復号マージンを表現する蓄積された復号マージンを計算すること（Ｓ３５）、
を含み、
前記再構成すること（Ｓ３）は、前記蓄積された復号マージンに基づく、
請求項２〜６のいずれかの方法。
【請求項８】
前記送信特性は、変調符号化方式、無線アクセス技術、ＭＩＭＯ（Multiple  Input  Multiple  Output）送信モード、ビームフォーミング、プリコーディング行列、及び送信
電力、という特性のうちの１つ又は複数を含む、請求項１〜７のいずれかの方法。
【請求項９】
前記復号マージンは、前記ワイヤレスデバイス（１０）の処理キャパシティのうち、前記トランスポートブロックの前記受信及び／又は復号のために使用された部分の標識を含む、請求項１〜８のいずれかの方法。
【請求項１０】
前記受信すること（Ｓ２）は、複数のあり得るＡＣＫレベルのうちの１つを定義する情報を受信すること、を含み、各レベルが予め定義されるレンジの範囲内の復号マージンに対応する、請求項１〜９のいずれかの方法。
【請求項１１】
前記受信側のワイヤレスデバイス（１０）へ、復号マージンを指し示すＡＣＫレポーティングフォーマットを有効化するためのリクエストを送信するステップ（Ｓ０ａ）、
を含む、請求項１〜１０のいずれかの方法。
【請求項１２】
前記受信側のワイヤレスデバイス（１０）から、復号マージンを指し示すＡＣＫレポーティングフォーマットを有効化するためのリクエストを受信するステップ（Ｓ０ｂ）、
を含む、請求項１〜１１のいずれかの方法。
【請求項１３】
無線ネットワークノードのプログラマブル処理回路において実行された場合に、前記無線ネットワークノードに、請求項１〜１２のいずれかに記載の方法を実行させるコンピュータプログラムコード、を含むコンピュータプログラム。
【請求項１４】
送信フィードバックを受信するために構成される、無線通信インタフェース（２１）及び処理回路（２２）を備える無線ネットワークノード（２０）であって、前記処理回路（２２）は、
前記無線通信インタフェース（２１）を通じて、送信特性のセットを用いて、受信側のワイヤレスデバイス（１０）へトランスポートブロックを送信し、
前記無線通信インタフェース（２１）を通じて、前記受信側のワイヤレスデバイス（１０）から、前記受信側のワイヤレスデバイス（１０）における前記トランスポートブロックの受信及び成功裏の復号を確認する確認応答（ＡＣＫ）を受信する、
ように構成され、前記ＡＣＫは、前記復号の復号マージンを定義し、前記復号マージンは、前記トランスポートブロックの前記受信及び／又は復号の期間中にアクティブ化され又は使用されるハードウェアユニットの数を指し示し、前記ハードウェアユニットは受信機ブランチまたは受信受信機アンテナである、
無線ネットワークノード（２０）。
【請求項１５】
前記処理回路（２２）は、前記復号マージンに基づいて、前記受信側のワイヤレスデバイス（１０）への１つ以上のさらなるトランスポートブロックの送信のために使用されるように前記送信特性を再構成する、ようにさらに構成される、請求項１４の無線ネットワークノード（２０）。
【請求項１６】
前記処理回路（２２）は、再構成された前記送信特性を用いて、前記受信側のワイヤレスデバイス（１０）へ１つ以上のさらなるトランスポートブロックを送信（Ｓ４）する、ようにさらに構成される、請求項１５の無線ネットワークノード（２０）。
【請求項１７】
前記処理回路（２２）は、前記受信側のワイヤレスデバイス（１０）への１つ以上のさらなるトランスポートブロックの送信のロバスト性を、前記トランスポートブロックの前記送信のロバスト性に対して変更することにより、前記受信側のワイヤレスデバイス（１０）への１つ以上のさらなるトランスポートブロックの送信のために使用されるように前記送信特性を再構成する、ようにさらに構成される、請求項１５〜１６のいずれかの無線ネットワークノード（２０）。
【請求項１８】
前記処理回路（２２）は、前記復号マージンが予め定義されるレベルを下回る場合に、前記トランスポートブロックの前記送信のロバスト性よりも高いロバスト性に対応する送信特性を選択することにより、前記受信側のワイヤレスデバイス（１０）への１つ以上のさらなるトランスポートブロックの送信のために使用されるように前記送信特性を再構成する、ようにさらに構成される、請求項１５〜１７のいずれかの無線ネットワークノード（２０）。
【請求項１９】
前記処理回路（２２）は、前記復号マージンが予め定義されるレベルを上回る場合に、前記トランスポートブロックの前記送信のロバスト性よりも低いロバスト性に対応する送信特性を選択することにより、前記受信側のワイヤレスデバイス（１０）への１つ以上のさらなるトランスポートブロックの送信のために使用されるように前記送信特性を再構成する、ようにさらに構成される、請求項１５〜１８のいずれかの無線ネットワークノード（２０）。
【請求項２０】
前記処理回路（２２）は、前記無線ネットワークノード（２０）と前記ワイヤレスデバイス（１０）との間の、送信特性の前記セットを用いて送信される前回の及び現在のトランスポートブロックの前記復号マージンを表現する蓄積された復号マージンを計算（Ｓ３５）する、ようにさらに構成され、
前記処理回路（２２）は、前記蓄積された復号マージンに基づいて、前記受信側のワイヤレスデバイス（１０）への１つ以上のさらなるトランスポートブロックの送信のために使用されるように前記送信特性を再構成する、ようにさらに構成される、
請求項１５〜１９のいずれかの無線ネットワークノード（２０）。
【請求項２１】
前記送信特性は、変調符号化方式、無線アクセス技術、ＭＩＭＯ（Multiple  Input  Multiple  Output）送信モード、ビームフォーミング、プリコーディング行列、及び送信
電力、という特性のうちの１つ又は複数を含む、請求項１４〜２０のいずれかの無線ネットワークノード（２０）。
【請求項２２】
前記復号マージンは、前記ワイヤレスデバイス（１０）の処理キャパシティのうち、前記トランスポートブロックの前記受信及び／又は復号のために使用された部分の標識を含む、請求項１４〜２１のいずれかの無線ネットワークノード（２０）。
【請求項２３】
前記処理回路（２２）は、複数のあり得るＡＣＫレベルのうちの１つを定義する情報を受信する、ようにさらに構成され、各レベルが予め定義されるレンジの範囲内の復号マージンに対応する、請求項１４〜２２のいずれかの無線ネットワークノード（２０）。
【請求項２４】
前記処理回路（２２）は、前記受信側のワイヤレスデバイス（１０）へ、復号マージンを指し示すＡＣＫレポーティングフォーマットを有効化するためのリクエストを送信する、ようにさらに構成される、請求項１４〜２３のいずれかの無線ネットワークノード（２０）。
【請求項２５】
前記処理回路（２２）は、前記受信側のワイヤレスデバイス（１０）から、復号マージンを指し示すＡＣＫレポーティングフォーマットを有効化するためのリクエストを受信する、ようにさらに構成される、請求項１４〜２４のいずれかの無線ネットワークノード（２０）。
【請求項２６】
ワイヤレスデバイス（１０）において実行される、送信フィードバックを提供する方法であって、
無線ネットワークノード（２０）からトランスポートブロックを受信すること（Ｓ１１）と、
前記トランスポートブロックを復号すること（Ｓ１２）と、
前記無線ネットワークノード（２０）へ、前記トランスポートブロックの前記受信及び成功裏の復号の確認応答（ＡＣＫ）を送信すること（Ｓ１４）と、前記ＡＣＫは、前記復号の復号マージンを定義することと、
を含み、
前記復号マージンは、前記トランスポートブロックの前記受信及び／又は復号の期間中にアクティブ化され又は使用されるハードウェアユニットの数を指し示し、前記ハードウェアユニットは受信機ブランチまたは受信機アンテナである、方法。
【請求項２７】
前記ＡＣＫは、複数のあり得るＡＣＫレベルのうちの１つを定義し、各ＡＣＫレベルが予め定義されるレンジの範囲内の復号マージンに対応する、請求項２６の方法。
【請求項２８】
前記復号マージンは、前記ワイヤレスデバイス（１０）の処理キャパシティのうち、前記トランスポートブロックの前記受信及び又は復号のために使用されたシェアの標識を含む、請求項２６〜２７のいずれかの方法。
【請求項２９】
前記処理キャパシティは、物理レイヤ処理を実装する１つ以上のデジタル信号プロセッサの処理キャパシティである、請求項２８の方法。
【請求項３０】
前記復号マージンは、前記復号の反復回数を指し示す、請求項２６〜２９のいずれかの方法。
【請求項３１】
前記無線ネットワークノード（２０）へ、復号マージンを指し示すＡＣＫレポーティングフォーマットを有効化するためのリクエストを送信すること（Ｓ１０ａ）、
を含む、請求項２６〜３０のいずれかの方法。
【請求項３２】
前記無線ネットワークノード（２０）から、復号マージンを指し示すＡＣＫレポーティングフォーマットを有効化するためのリクエストを受信すること（Ｓ１０ｂ）、
を含む、請求項２６〜３１のいずれかの方法。
【請求項３３】
ワイヤレスデバイスのプログラマブル処理回路において実行された場合に、前記ワイヤレスデバイスに、請求項２６〜３２のいずれかに記載の方法を実行させるコンピュータプログラムコード、を含むコンピュータプログラム。
【請求項３４】
送信フィードバックを提供するために構成される、無線通信インタフェース（１１）と処理回路（１２）とを備えるワイヤレスデバイス（１０）であって、前記処理回路（１２）は、
前記無線通信インタフェース（１１）を通じて、無線ネットワークノード（２０）からトランスポートブロックを受信し、
前記トランスポートブロックを復号し、
前記無線通信インタフェース（１１）を通じて、前記無線ネットワークノード（２０）へ前記トランスポートブロックの受信及び成功裏の復号を確認する確認応答（ＡＣＫ）を送信する、
ように構成され、前記ＡＣＫは、前記復号の復号マージンを定義し、前記復号マージンは、前記トランスポートブロックの前記受信及び／又は復号の期間中にアクティブ化され又は使用されるハードウェアユニットの数を指し示し、前記ハードウェアユニットは受信機ブランチまたは受信機アンテナである、
ワイヤレスデバイス（１０）。
【請求項３５】
前記ＡＣＫは、複数のあり得るＡＣＫレベルのうちの１つを定義し、各ＡＣＫレベルが予め定義されるレンジの範囲内の復号マージンに対応する、請求項３４のワイヤレスデバイス（１０）。
【請求項３６】
前記復号マージンは、前記ワイヤレスデバイス（１０）の処理キャパシティのうち、前記トランスポートブロックの前記受信及び又は復号のために使用されたシェアの標識を含む、請求項３４〜３５のいずれかのワイヤレスデバイス（１０）。
【請求項３７】
前記処理キャパシティは、物理レイヤ処理を実装する１つ以上のデジタル信号プロセッサの処理キャパシティである、請求項３６のワイヤレスデバイス（１０）。
【請求項３８】
前記復号マージンは、前記復号の反復回数を指し示す、請求項３４〜３７のいずれかのワイヤレスデバイス（１０）。
【請求項３９】
前記処理回路（１２）は、
前記無線ネットワークノード（２０）へ、復号マージンを指し示すＡＣＫレポーティングフォーマットを有効化するためのリクエストを送信する、
ように構成される、請求項３４〜３８のいずれかのワイヤレスデバイス（１０）。
【請求項４０】
前記処理回路（１２）は、
前記無線ネットワークノード（２０）から、復号マージンを指し示すＡＣＫレポーティングフォーマットを有効化するためのリクエストを受信する、
ように構成される、請求項３４〜３９のいずれかのワイヤレスデバイス（１０）。
【発明の詳細な説明】
【技術分野】
【０００１】
本開示は、無線ネットワークノードへ送信フィードバックを送信し及び受信する方法に関する。より具体的には、本開示は、ワイヤレスデバイスにおけるトランスポートブロックの受信及び成功裏の復号について確認応答するメッセージを送受信することに関する。本開示は、送信フィードバックを提供するワイヤレスデバイス、及び送信フィードバックを受信する無線ネットワークノードにも関する。
【背景技術】
【０００２】
３ＧＰＰ（3rd  Generation  Partnership  Project）は、ＵＭＴＳ（Universal  Mobile  Telecommunication  System）及びＬＴＥ（Long  Term  Evolution）の標準化に責任を有する。ＬＴＥについての３ＧＰＰの作業は、Ｅ−ＵＴＲＡＮ（Evolved  Universal  Terrestrial  Access  Network）としても言及される。ＬＴＥは、ダウンリンク及びアップリンクの双方において高いデータレートに達することのできる高速なパケットベースの通信を実現するための技術であり、ＵＭＴＳに対する次世代のモバイル通信システムであると考えられている。高いデータレートをサポートする目的で、ＬＴＥは、２０ＭＨｚのシステム帯域幅、又は、キャリアアグリゲーションが採用される場合には最大１００ＭＨｚのシステム帯域幅を可能とする。また、ＬＴＥは、異なる複数の周波数帯域で動作することが可能であり、少なくとも周波数分割複信（ＦＤＤ）モード及び時分割複信（ＴＤＤ）モードで動作することができる。
【０００３】
ハイブリッド自動再送要求（ＨＡＲＱ）は、増分冗長性の手段によってワイヤレスデバイスとネットワークノードとの間の信頼性の高い通信を可能とする、３Ｇ標準及び４Ｇ標準の不可欠な部分である。送信されるべきトランスポートブロックは、前方エラー訂正符号化の対象とされ、それにより冗長性が取り入れられる。ビット数は、取り入れられる冗長性に起因して増加し、但し全てのビットが同時に送信されるわけではない。結果として生じるビットは、複数のいわゆる冗長バージョンへとセグメント化され、そうした各冗長バージョンは、さらに、所与の割り当て（１つ以上のリソースブロックペア）にフィットするように送信前に間引かれる。どの程度の間引きが行われるかは、割り当てにおいていくつのビット（情報ビット及び冗長ビット）が搬送可能であるかに依存し、それはさらに、割り当て帯域幅、使用される変調法（例えば、ＱＰＳＫ、１６ＱＡＭ、２５６ＱＡＭ）、並びに、割り当て帯域幅内のブロードキャストされる信号及びチャネルの存在に依存する。トランスポートブロック内の情報ビットと情報ビットプラス冗長ビットとの間の比率を、コードレートという。コードレートと変調タイプとの組み合わせを、変調符号化方式という。
【０００４】
受信エンティティがトランスポートブロックを復号できるようになることなく再送の最大回数に達した場合、プロトコルデータユニット（ＰＤＵ）が逸失したことが上位レイヤ（例えば、無線リンク制御（ＲＬＣ））によって概して５０〜１００ｍｓ以内に検出され、そのＲＬＣ  ＰＤＵを含む全てのトランスポートブロックについて再送が要求される。成功したかもしれないトランスポートブロックでさえそうである。これを自動再送要求（ＡＲＱ）といい、ＨＡＲＱ再送よりもかなり大きいレイテンシを有する。
【０００５】
ＬＴＥネットワークにおいて、（ＬＴＥではユーザ機器（ＵＥ）として言及される）ワイヤレスデバイスは、測定を遂行して、感知される無線伝播条件に関する標識を、チャネル品質インジケータ（ＣＱＩ）レポーティングと呼ばれるものの中で基地局（ＬＴＥではｅＮｏｄｅＢ）へ提供する。そのレポーティングに基づき、基地局は、ＵＥとの通信のためにどの変調符号化方式（ＭＣＳ）を使用すべきかをおおよそ決定することができる。ＣＱＩとＭＣＳとの間のマッピングの１つの例が、３ＧＰＰ  ＴＳ３６．２１３  Ｖ１０．１２．０のセクション７．２．３から取得した以下の表１に示されている。チャネル品質が低い場合（低いＣＱＩインデックス）、情報ビットの成功裏の復号のためにより多くの前方エラー訂正符号化が必要とされ、チャネル品質が高い場合、即ちＣＱＩインデックスが高い場合において逆もまたしかりである。よって、高ＣＱＩでは、情報ビットのスループットを低ＣＱＩよりも高くすることができる。
【０００６】
【表１】
0006518337.tif 000002
【０００７】
良好なシステムスループットを得る目的で、ＬＴＥではｅＮＢとして言及される基地局は、リンク適応を遂行することにより、各ＵＥがレポートしたチャネル品質を、システムスループットと個々のユーザについてのスループットとの間の正しいバランスを提供するＭＣＳに適合させる。ＭＣＳは、ＬＴＥではＰＤＣＣＨ（Physical  Data  Control  Channel）上で提供されるダウンリンク制御情報（ＤＣＩ）においてＵＥへ指し示される。これは、３ＧＰＰ  ＴＳ３６．２１３  Ｖ１０．１２．０のセクション７．１．７．１から取得した表２に示されている。
【０００８】
ＣＱＩレポーティングに加えて、基地局は、典型的には、ＡＣＫ／ＮＡＣＫレポートに基づいて例えば１０％のＢＬＥＲ（ＮＡＣＫと、受信され又は予期されるＡＣＫ／ＮＡＣＫの総数との間の比率）を与える適切な値にＭＣＳ値をチューニングするというアウターループを有する。それは、どの目標ＢＬＥＲが使用されるか（例えば、１％、１０％、３０％）の柔軟性を提供することに加えて、レポートされるＣＱＩにおいて各ＵＥモデルが又は同じモデルの複数のＵＥさえも個別のバイアスを有し得るという問題をも解決する。よって、基地局は、所望のＢＬＥＲ目標を与えるようにチューニングするＵＥ固有のＣＱＩオフセットを維持する。
【０００９】
【表２】
0006518337.tif 000003
【００１０】
ＵＥ固有のＭＣＳを判定するための基地局側での既存の制御ループは、具体的なＢＬＥＲ比率を維持し及びＣＱＩレポーティングにおけるＵＥ固有のバイアスを識別することに大いに基づく。ＣＱＩバイアスが一旦識別されると、基地局は、ＵＥによりレポートされるＣＱＩに基づいて、より正確にＭＣＳを選択することができる。ＣＱＩバイアスの識別の期間中に、基地局は、ある時間インターバルにわたってＢＬＥＲ目標が充足されるまで、ＭＣＳを減少させ又は増加させるであろう。
【００１１】
産業用途に向けたマシンタイプ通信（ＭＴＣ）の広がりは、将来の通信システムにおける重要な特徴の１つとして見られている。接続性に関する要件は、非常に多様であり、運用されることになる産業上の用途のユースケースに大いに依存する。従って、様々なクリティカルＭＴＣ（即ち、超高信頼性（ultra-reliable）ＭＴＣ）の解決策が必要とされるであろう。エンドツーエンドのレイテンシに加えて、クリティカルＭＴＣの概念は、送信の信頼性、モビリティ、エネルギー効率、システムキャパシティ及び配備に関わる設計上のトレードオフを解決し、超高信頼性の通信を可能としながらリソース効率的かつエネルギー効率的な手法でいかにワイヤレスネットワークを設計するかについての解決策を提供すべきである。
【００１２】
例えば１０−９まで低い極端なＢＬＥＲに関する要件を充足し、同時に、レイテンシに関する極端な要件、即ち毎サブフレーム新たな情報を送受信できること、を充足するようなＵＥのスケジューリングのためには、可能な限りブロックエラーが回避されなければならない。
【００１３】
しかしながら、既存の実装では、時折ブロックエラーを取り込むことなく例えば適切なＭＣＳへの調整を行うことは解決困難であり得る。結果として、基地局（又はネットワークノード）は、ＭＣＳ選択において非常に保守的となることを強いられる。保守的であるとは、求められるよりも積極的でないＭＣＳを使用することを示唆し、その結果、個々のＵＥについて必要とされるよりも多くのリソースが使用され、低下したシステムスループットに帰着する。
【発明の概要】
【発明が解決しようとする課題】
【００１４】
本開示の目的は、上記技術における上で識別した欠点及び不利のうちの１つ以上を、独力で又は何らかの組み合わせで軽減し、緩和し又は排除することを追求する方法を提供することである。
【課題を解決するための手段】
【００１５】
これは、無線ネットワークノードにおいて実行される、送信フィードバックを受信する方法により獲得される。当該方法は、送信特性のセットを用いて、受信側のワイヤレスデバイスへトランスポートブロックを送信することと、上記受信側のワイヤレスデバイスから、上記受信側のワイヤレスデバイスにおける上記トランスポートブロックの受信及び成功裏の復号を確認する確認応答（ＡＣＫ）を受信することと、上記ＡＣＫは、上記復号の復号マージンを定義することと、を含む。上記復号マージンは、基地局により様々な手法で利用されてよい。例えば、ネットワークノードは、高い信頼性及び低いレイテンシをサポートするＵＥのカテゴリのために、ＢＬＥＲに基づく代わりに復号のマージンに基づくアウターループを有することができ、それによりパケットを逸失することなく正確なＭＣＳ値へのチューニングを行い得る。
【００１６】
他の例は、例えば、復号マージン又はその統計を用いて、高い信頼性及び低いレイテンシをサポートするＵＥのためのカバレッジが十分ではなくよって改善を必要とするエリア（例えば工場内のエリア）を識別することであろう。
【００１７】
いくつかの側面によれば、上記方法は、上記復号の上記マージンに基づいて、上記受信側のワイヤレスデバイスへの１つ以上のさらなるトランスポートブロックの送信のために使用されるように上記送信特性を再構成すること、をさらに含む。ＵＥのためにあまり保守的でないＭＣＳが使用されることになるため、より多くのリソースが他のＵＥにとって利用可能になり、システムスループットが改善するであろう。
【００１８】
いくつかの側面によれば、上記方法は、上記無線ネットワークノードと上記ワイヤレスデバイスとの間の、送信特性の上記セットを用いて送信される前回の及び現在のトランスポートブロックの上記復号マージンを表現する蓄積された復号マージンを計算すること、をさらに含み、上記再構成することは、上記蓄積された復号マージンに基づく。
【００１９】
いくつかの側面によれば、上記復号の上記マージンは、上記無線ネットワークノードの処理キャパシティのうち、上記トランスポートブロックの上記受信及び／又は復号のために使用された部分の標識を含む。
【００２０】
いくつかの側面によれば、上記受信することは、複数のあり得るＡＣＫレベルのうちの１つを定義する情報を受信すること、を示唆し、各レベルが予め定義されるレンジの範囲内の復号マージンに対応する。よって、ＵＥ又はワイヤレスデバイスは、物理レイヤの処理キャパシティにどの程度近付いているのかに基づいて、成功裏に復号されたブロックについて、“ソフトＡＣＫ”を送信すべきか又は“ハードＡＣＫ”を送信すべきかを決定し得る。それは、例えば、ブロックを成功裏に復号した際に残されているターボ復号器の反復回数、又は同様の種類のメトリックであってもよい。
【００２１】
その場合、基地局は、目標ＢＬＥＲを維持する代わりに、目標の“ソフトＡＣＫ”比（ＳＡＲ）を維持してよい。ＳＡＲに基づいてＭＣＳをチューニングすることで、基地局が適切なＭＣＳを探索する際により積極的になることが可能となる。なぜなら、ブロックエラーを取り込むことなくそれを行うことができるためである。
【００２２】
いくつかの側面によれば、本開示は、送信フィードバックを受信するために構成される無線ネットワークノードに関する。当該無線ネットワークノードは、無線通信インタフェース及び処理回路を備える。上記処理回路は、上記無線通信インタフェースを通じて、送信特性のセットを用いて、受信側のワイヤレスデバイスへトランスポートブロックを送信する、ように構成される。上記処理回路は、上記無線通信インタフェースを通じて、上記受信側のワイヤレスデバイスから、上記受信側のワイヤレスデバイスにおける上記トランスポートブロックの受信及び成功裏の復号を確認する確認応答（ＡＣＫ）を受信する、ようにさらに構成される。上記ＡＣＫは、上記復号の復号マージンを定義する。上記処理回路は、上記復号の上記マージンに基づいて、上記受信側のワイヤレスデバイスへの１つ以上のさらなるトランスポートブロックの送信のために使用されるように上記送信特性を再構成する、ようにさらに構成される。
【００２３】
いくつかの側面によれば、本開示は、ワイヤレスデバイスにおいて実行される、送信フィードバックを提供する方法に関する。当該方法は、無線ネットワークノードからトランスポートブロックを受信することと、上記トランスポートブロックを復号することと、上記無線ネットワークノードへ、上記トランスポートブロックの上記受信及び成功裏の復号の確認応答（ＡＣＫ）を送信することと、上記ＡＣＫは、上記復号の復号マージンを定義することと、を含む。
【００２４】
復号マージンを含む確認応答の交換は、ネットワークノードがデバイスのためにＭＣＳを選択する際にあまり保守的でないことを可能にし、それにより他のＵＥのためにより多くのリソースを使用することが可能となる。結果として、上記デバイスとの信頼性の高い通信を提供すると同時に、システムスループットを改善することができる。
【００２５】
いくつかの側面によれば、上記ＡＣＫは、複数のあり得るＡＣＫレベルのうちの１つを定義し、各ＡＣＫレベルが予め定義されるレンジの範囲内の復号マージンに対応する。
【００２６】
いくつかの側面によれば、上記復号の上記マージンは、上記無線ネットワークノードの処理キャパシティのうち、上記トランスポートブロックの上記受信又は復号のために使用されたシェアの標識を含む。いくつかの側面によれば、上記処理キャパシティは、物理レイヤ処理を実装するデジタル信号プロセッサの処理キャパシティである。
【００２７】
いくつかの側面によれば、上記復号の上記マージンは、上記復号の反復回数を指し示す。いくつかの側面によれば、上記復号の上記マージンは、上記受信及び／又は復号の期間中にアクティブ化され又は使用されるハードウェアユニットの数を指し示す。
【００２８】
いくつかの側面によれば、本開示は、送信フィードバックを提供するために構成されるワイヤレスデバイスに関する。当該ワイヤレスデバイスは、無線通信インタフェースと処理回路とを備える。当該処理回路は、上記無線通信インタフェースを通じて、無線ネットワークノードからトランスポートブロックを受信し、上記トランスポートブロックを復号する。ように構成される。上記ワイヤレスデバイスは、上記無線通信インタフェースを通じて、上記無線ネットワークノードへ上記トランスポートブロックの受信及び成功裏の復号を確認する確認応答（ＡＣＫ）を送信する、ようにさらに構成され、上記ＡＣＫは、上記復号の復号マージンを定義する。
【００２９】
本開示は、無線ネットワークノードのプログラマブルコントローラにおいて実行された場合に、上記無線ネットワークノードに、ここまで及びこれ以降で説明する方法を実行させるコンピュータプログラムコード、を含むコンピュータプログラムにも関する。
【図面の簡単な説明】
【００３０】
上述した内容は、添付図面に示したような、例示的な実施形態についての以下のより具体的な説明から明白となるであろう。それら添付図面において、類似の参照記号は様々な観点を通じて同じ部分を指す。図面は必ずしも等尺ではなく、代わりに例示的な実施形態の描出に関して強調が施される。
【００３１】
【図１ａ】無線ネットワークノード及びワイヤレスデバイスを示している。
【図１ｂ】ＬＴＥの物理レイヤのダウンリンク及びアップリンクの処理のスケッチである。
【図２】無線ネットワークノードにおける方法ステップの実施形態を示すフローチャートである。
【図３】ワイヤレスデバイスにおける方法ステップの実施形態を示すフローチャートである。
【図４ａ】提案技法に従った無線ネットワークノードとワイヤレスデバイスとの間のシグナリングを示している。
【図４ｂ】提案技法に従った無線ネットワークノードとワイヤレスデバイスとの間のシグナリングを示している。
【図５】例示的な実施形態のいくつかに係る無線ネットワークノードの例示的なノード構成である。
【図６】例示的な実施形態のいくつかに係るワイヤレスデバイスの例示的なノード構成である。
【図７】１つの例示的な実施形態における基地局側での本開示の例示的な処理ステップを示すフローチャートである。
【図８】１つの例示的な実施形態におけるワイヤレスデバイスにおける例示的な処理ステップを示すフローチャートである。
【発明を実施するための形態】
【００３２】
［略語］
ＡＣＫ        Acknowledged
ＡＲＱ        Automatic  repeat  request
ＢＬＥＲ      Block  error  rate
ＣＱＩ        Channel  quality  indicator
ＣＲＳ        Cell  specific  reference  signals
ＣＳＩ        Channel  state  information
ＤＣＩ        Downlink  control  information
ＤＬ          Downlink
ｅＩＣＩＣ    Enhanced  ICIC
ＦＦＴ        Fast  Fourier  transform
ＨＡＣＫ      Hard  ACK
ＨＡＲＱ      Hybrid  automatic  repeat  request
ＩＣＩＣ      Inter-cell  interference  coordination
ＭＣＳ        Modulation  and  coding  scheme
ＮＡＣＫ      Not  Acknowledged
ＯＦＤＭ      Orthogonal  Frequency  Division  Modulation
ＰＣＦＩＣＨ  Physical  control  format  indicator  channel
ＰＤＣＣＨ    Physical  downlink  control  channel
ＰＤＳＣＨ    Physical  downlink  shared  channel
ＰＨＩＣＨ    Physical  HARQ  indication  channel
ＰＵＣＣＨ    Physical  uplink  control  channel
ＰＵＳＣＨ    Physical  uplink  shared  channel
ＰＤＵ        Protocol  data  unit
ＱｏＳ        Quality  of  service
ＲＬＣ        Radio  link  control
ＳＡＣＫ      Soft  ACK
ＳＡＲ        Soft-to-Hard  ACK  rate
ＳＧ          Scheduling  grant
ＳＲ          Scheduling  request
ＳＲＳ        Sounding  reference  signals
ＴＴＩ        Transmission  time  interval
ＵＣＩ        Uplink  control  information
ＵＥ          User  equipment
ＵＬ          Uplink
【００３３】
これ以降、添付図面を参照しながら本開示の複数の側面がより充分に説明されるであろう。ここで開示される装置及び方法は、しかしながら、多くの異なる形式で実現されることができ、ここで呈示される側面に限定されるものとして解釈されるべきではない。図面内の類似の番号は一貫して類似のエレメントを指す。
【００３４】
ここで使用される専門用語は、本開示の具体的な側面を説明する目的のためのものに過ぎず、本開示を限定することを意図されない。ここで使用されるところによれば、単数形の“a”、“an”及び“the”は、別段文脈で明示されない限り、複数形をも含むものと意図される。
【００３５】
増分冗長性（incremental  redundancy）は、ワイヤレスデバイスが、トランスポートブロックの第１の冗長バージョンを受信し及び復号することを試行し、それが失敗した場合にトランスポートブロックの第２の冗長バージョンを受信して、いわゆるソフト合成でそれを第１の冗長バージョンと合成し復号を試行することを可能にする。同じトランスポートブロックの（再）送信は、送信時間インターバル（ＴＴＩ）バンドリングなどの機能が使用されない限り最小で８ｍｓの距離を以って生起する。ＴＴＩバンドリングによると、複数の冗長バージョンが、前の冗長バージョンが成功裏に復号されたかに関するフィードバックを待ち受けることなく後続のサブフレームにおいて送信される、
【００３６】
受信エンティティ、ワイヤレスデバイス又は基地局は、トランスポートブロックの復号が成功したか（ＡＣＫ）又は失敗したか（ＮＡＣＫ）に関するフィードバックを送信エンティティへ提供する。送信エンティティは、すると、同じブロックについて他の冗長バージョンを送信すべきか又は次のトランスポートブロックについての冗長バージョンを送信すべきかについて決定を行い得る。
【００３７】
部分的ＡＣＫとして言及されることはあるが、例えば品質レベルなど、異なる目的及び異なる文脈のための複数のＮＡＣＫレベル（即ち、送信が成功裏に受信されない場合）の使用を明らかにした従来技術は存在する。例えば、欧州特許出願であるＥＰ２６６３００７Ａ１は、第１のネットワークデバイスにおいて受信されるデータパケットについての、上記第１のネットワークデバイスから第２のネットワークデバイスへの肯定確認応答メッセージ及び否定確認応答メッセージの送信のための方法であって、上記否定確認応答メッセージの各々が、上記第１のネットワークデバイスにおいて受信されたデータパケットの品質に依存して少なくとも２つの異なる品質レベルのうちの１つの品質レベルを指し示し、肯定確認応答メッセージと否定確認応答メッセージとの違いが、互いに異なる品質レベルを指し示す否定確認応答メッセージの間の違いよりも強いエラー保護を有する、方法を開示している。
【００３８】
高信頼性を低レイテンシと組み合わせた極端な要件にとって、例えばＭＣＳの制御のためのＮＡＣＫの余裕は持てない。従って、本開示は、複数のＡＣＫレベル、即ち送信信号が成功裏に受信された場合に送信される確認応答、を送信する可能性を提案する。複数のＡＣＫレベルは、成功裏の復号のマージンを指し示す。
【００３９】
よって、提案される解決策は、ワイヤレスデバイスからのＡＣＫレポーティングにおけるより精細な粒度を導入することである。既存のＨＡＲＱの実装は、典型的には、二値のレポーティング（ＡＣＫ又はＮＡＣＫ）、又は恐らくは複数のＮＡＣＫレベルを可能としている。ブロックエラーをさらに取り込むことなく基地局側でより良好なＭＣＳのチューニングを可能とするために、例えば“ソフトＡＣＫ”及び“ハードＡＣＫ”というＡＣＫの２つ以上のレベルが導入されてよく、ここで、ソフトＡＣＫは、物理レイヤ処理リソースの欠乏に近く少ないマージンでＵＥによりブロックが復号されたことを指し示し、ハードＡＣＫは、ブロックが良好なそうしたマージンで復号されたことを指し示す。
【００４０】
発明者らは、物理レイヤのキャパシティの観点で受信機がその限界のどの程度近くで動作しているのかを送信機が知得することが有益であり得ることを認識した。それは、例えば、ブロックを成功裏に復号した際に残されているターボ復号器の反復回数、又は同様の種類のメトリックであってもよい。
【００４１】
ＵＥにおけるＬＴＥの物理レイヤの簡略化されたスケッチが図１ｂに提供されている。複数のサンプルが無線機から受信され、ＯＦＤＭ復調器においてＦＦＴの対象となる。その出力は、例えば変調シンボル及びリファレンス信号を搬送する複数のリソースエレメントを含む。リファレンス信号は、無線チャネルを推定するためにチャネル推定器により使用され、そのチャネル推定結果、送信モードに関する情報、及び割り当て帯域幅から、合成重み計算器により最適な合成重みが導出される。いくつかのリファレンス信号は、ＣＳＩ推定器によってチャネル状態情報（ＣＳＩ。ＣＱＩを含む）を計算するためにも使用され、ＣＳＩは、ネットワークノードへフィードバックされる。受信された変調シンボル及び合成重みは合成及びデマッピング器へ供給され、合成及びデマッピング器はソフトビットを生成し、ソフトビットはチャネルに依存して複数の復号器のいずれかへ入力される。
【００４２】
ＵＥは、まずＰＤＣＣＨ（physical  downlink  control  channel）を受信し及び復号して、ＰＤＳＣＨ（physical  downlink  shared  channel）上の割り当てに関する情報と共に、使用される送信モード及び変調符号化方式（ＭＣＳ）、アップリンク割り当て（スケジューリンググラント、ＳＧ）、アップリンク電力制御コマンドなど、を提供するダウンリンク制御情報（ＤＣＩ）を見つけ出す。しかしながら、それを受信する前に、ＵＥは、制御領域がどれほどの大きさか、即ち、サブフレーム内の先頭のＯＦＤＭシンボルのうちのいくつがＰＤＣＣＨを搬送しているかを知らせるＰＣＦＩＣＨ（physical  control  format  indicator  channel）を復号する。また、復号の前に、無線伝播チャネルが推定され及び合成重みが生成される必要がある。
【００４３】
ＰＤＣＣＨは、畳み込み符号化され、制御復号器により復号される。復号されたＤＣＩは、ベースバンドを構成するために使用される制御ユニットへ供給される。制御復号器は、アップリンク上の送信が成功裏に復号されたか否かに関するネットワークノードからのフィードバック（ＵＬ  ＡＣＫ／ＮＡＣＫ；  ＵＬ  Ａ／Ｎ）をさらに出力し、及び、ＰＢＣＨ（physical  broadcast  channel）上で搬送されるマスタ情報ブロック（ＭＩＢ）を復号するためにも使用される。
【００４４】
ＤＣＩが一旦復号されると、概して、サブフレームのほぼ中間の時点で、ＰＤＳＣＨが次に来る。サブフレーム内の残りのリファレンス信号がチャネル推定を改善するために使用され、合成重みが使用中の送信モードのために適合され、そして、受信された変調シンボルが合成され及びデマッピングされて、復号の対象のソフトビットへと帰着する。復号開始が可能となる前にサブフレーム全体が受信されなければならないことから、これはタイミング的に次のサブフレームにおいて制御情報が受信され及び復号される最中にパイプライン型で生起する。
【００４５】
ＰＤＳＣＨは、ターボ符号化され及びデータ復号器を用いて復号される。データ復号器は、関連付けられるソフトビット合成器を伴うＨＡＲＱ（hybrid  automatic  request）の機能性とターボ復号器とを主に含む。ターボ復号器は、受信されたデータが（巡回冗長検査；ＣＲＣの成功により示される通り）成功裏に復号されるまで、又は時間（反復）切れとなるまで復号を反復する。復号失敗のケースにおいて、後続の反復においてそれほど多くの情報が訂正されないことをメトリックが示している場合、早期に断念してもよく、いわゆる早期断念機能（ＥＧＦ：early  give-up  function）という。パイプラインの形式の処理に起因して、ターボ復号器は、１サブフレームという時間長の範囲内で終了させなければならない。データが成功裏に復号されたか否かに関するフィードバック（ＡＣＫ／ＮＡＣＫ；ＤＬ  Ａ／Ｎ）は、サブフレームｎ＋４において無線ネットワークノードへ提供され、ここでサブフレームｎはデータが受信されたサブフレームである。
【００４６】
ＣＳＩレポーティングは、それがいつレポートされるべきかが事前にＵＥにとって既知である方式で周期的であってもよく、但し、ＣＳＩレポートがサブフレームｎ＋４において送信されるべきであることがＤＣＩにおいてＵＥへ通知される方式で周期的であってもよい。
【００４７】
ＯＦＤＭ復調器、チャネル推定器、合成重み計算器、合成及びデマッピング器、並びに制御復号器のための処理時間は使用される帯域幅に強く依存し、一方で、データ復号器のための処理時間は主にＨＡＲＱバッファのサイズを規定するＵＥカテゴリに依存する。
【００４８】
ＵＥは、サブフレームｎにおいてＳＧを受信した場合、サブフレームｎ＋４内のＰＵＳＣＨ（physical  uplink  shared  channel）上で送信を行うことになる。スケジューリングリクエスト（ＳＲ）、ＤＬ  Ａ／Ｎ及びＣＳＩは、ＵＣＩ符号化器により符号化されるアップリンク制御情報（ＵＣＩ）を構成する。送信されるべきデータは、ターボ符号化を遂行するデータ符号化器により符号化され、そしてＵＣＩが挿入される。変調シンボルはブロックマッピング器へ供給され、ブロックマッピング器は、変調シンボルとＵＬ  ＲＳＩＧ生成器により生成されるアップリンクリファレンスシンボルとを、許可された割り当てへマッピングする。結果としてのシンボルのシーケンスは、ＳＣ−ＦＤＭＡ変調器へ供給され、ＳＣ−ＦＤＭＡ変調器は、本質的にはＩＦＦＴを遂行し、その出力が無線機へ送出される。
【００４９】
スケジューリンググラントが受信されておらず但しＵＥがＵＬ  Ａ／Ｎ、ＣＳＩ及びＳＲを提供すべきであるケースでは、その情報は、予め定義されるフォーマットに従ってＰＵＣＣＨ（physical  uplink  control  channel）上で送信される。
【００５０】
ＵＬ  ＲＳＩＧ生成器、ブロックマッピング器及びＳＣ−ＦＤＭＡ変調器のための処理時間は使用される帯域幅に強く依存し、一方で、データ符号化器のための処理時間はＵＥカテゴリに依存する。
【００５１】
さらに、タイミングアドバンス（ＴＡ）と、最大１００ｋｍのセル半径をサポートするものと定めた規格とに起因して、アップリンクサブフレームｎは、ダウンリンクサブフレームｎが受信される０．６７ｍｓ前に送信されなければならない可能性がある。よって、ＵＥは、非周期的なＣＳＩレポーティングリクエストに対処し、ネットワークノードからのＵＬ  Ａ／Ｎに対処するなどしながら、ＤＬ  Ａ／Ｎのための時間を充足するために、おおよそ２ｍｓの範囲内で、あるサブフレームの全てのデータ関連の及びＣＳＩ関連の処理を行うことができなければならないであろう。
【００５２】
留意すべきこととして、コスト効率及び電力効率に起因して、ＵＥは、概して、例えばＤＬ及びＵＬそれぞれのキャリア数といった、サポートされる特徴及びケイパビリティのために、並びにそれらの各々についてサポートされる帯域幅のためにちょうど必要とされる処理キャパシティ、メモリサイズなどを有するように設計される。これは、例えば、ＦＦＴ及びＩＦＦＴがＯＦＤＭシンボルごとの期限に間に合うように、但しそれより速くはないように設計される形で反映される。
【００５３】
よって、本開示は、ＵＥの物理レイヤの制約について基地局へ通知することを提案する。そして、基地局は、目標ＢＬＥＲを維持する代わりに、目標ＳＡＲ（Soft  ACK  Ratio）を維持し得る。ＳＡＲに基づいてＭＣＳをチューニングすることで、基地局が適切なＭＣＳを探索する際により積極的になることが可能となる。なぜなら、ブロックエラーを取り込むことなくそれを行うことができるためである。ＵＥについてあまり保守的でないＭＣＳが使用されるであろうことから、他のＵＥにとってより多くのリソースが利用可能となり、システムスループットは改善するであろう。
【００５４】
拡張された送信フィードバックを提供する提案した技法は、これより、一例としてＬＴＥを用いてより詳細に説明されるであろう。
【００５５】
留意すべきこととして、例示的な実施形態を説明するために、３ＧＰＰ  ＬＴＥからの専門用語がここで使用されているものの、これは、それら例示的な実施形態のスコープを上述したシステムのみに限定するものとして見られるべきではない。Ｗｉｆｉ、ＷＣＤＭＡ、ＷｉＭａｘ、ＵＭＢ及びＧＳＭ、並びに将来の無線アクセスシステムを含む他のワイヤレスシステムもまた、ここで開示される例示的な実施形態から恩恵を受け得る。
【００５６】
図１ａは、ＬＴＥではｅＮｏｄｅＢである無線ネットワークノード２０、及びＬＴＥではＵＥであるワイヤレスデバイス１０を含む、提案される技法が実装され得る通信システムを示している。この例において、ｅＮｏｄｅＢ２０はＵＥ１０へトランスポートブロックを送信し、それによりＵＥは成功裏の受信について確認応答を行い、提案される技法を用いてその成功裏の復号のマージンが示される。それによって、ＵＥは、図１ｂに示した物理レイヤのリソースにどの程度負荷が掛かっているかをｅＮｏｄｅＢへ通知する。
【００５７】
［例示的なノードの動作］
無線ネットワークノード２０において実行される、提案技法に従って送信フィードバックを受信する方法について、図２を参照しながら以下に説明する。
【００５８】
理解されるべきこととして、図２は、実線の境界で描かれたいくつかの動作と、破線の境界で描かれたいくつかの動作とを含む。実線の境界内に含まれる動作は、より広い例示的な実施形態に含まれる動作である。破線の境界内に含まれる動作は、実線の境界の例示的な実施形態の動作に含まれてもよく、その一部であってもよく、又はそれに加えて取り入れられ得るさらなる動作であってもよい例示的な実施形態である。理解されるべきこととして、それら動作は、順序通りに実行されなくてもよい。そのうえ、理解されるべきこととして、それら動作の全てが実行される必要があるわけではない。例示的な動作は、いかなる適した順序で実行されてもよく、いかなる組み合わせで実行されてもよい。
【００５９】
提案される方法又はシグナリングは、ワイヤレスデバイスから有効化されるか又はネットワークノードから有効化されるかのいずれかであってよい。例えば、ＵＥは、マルチレベルＡＣＫに関するケイパビリティをレポートし、マルチレベルＡＣＫレポーティングを可能とするＰＵＣＣＨ（Physical  Uplink  Control  Channel）フォーマット（現在のところ標準内にはない）で構成されてもよい。また、そうした情報は、明示的に提供され若しくはＱｏＳリクエストにおいて暗黙的に提供され、具体的なＵＥクラスに結び付けられ、又は、具体的な標準のリリース（例えば、３ＧＰＰ  ＥＵＴＲＡリリース１３）をサポートするＵＥからその標準において規定されてもよい。典型的には、ネットワークノードと受信側のワイヤレスデバイスとの間に何らかのシグナリングが存在し、結果として復号のマージンを指し示すＡＣＫレポーティングフォーマットが有効化される。
【００６０】
よって、いくつかの側面によれば、本方法は、ネットワークノードが復号のマージンを指し示すＡＣＫレポーティングフォーマットを有効化するためのリクエストを受信側のワイヤレスデバイス１０へ送信することＳ０ａにより開始される。代替的に、本方法は、ネットワークノードが復号のマージンを指し示すＡＣＫレポーティングフォーマットを有効化するためのリクエストを受信側のワイヤレスデバイス１０から受信することＳ０ｂにより開始される。初期のシグナリングは、他の機能にも影響する必須の動作の有効化の一部であってもよい。
【００６１】
さて、再び図２に戻ると、提案される方法は、送信特性のセットを用いて、受信側のワイヤレスデバイス１０へトランスポートブロックを送信するステップＳ１、を含む。トランスポートブロックは、一単位として送信される、エラー制御目的で符号化され得るビット又は数値の集合である。トランスポートブロックは、例えば、ＲＬＣ  ＰＤＵを搬送している。ここでの送信特性は、受信機の物理的な構成を指す。いくつかの側面によれば、送信特性は、変調符号化方式、無線アクセス技術、ＭＩＭＯ（Multiple  Input  Multiple  Output）送信モード、ビームフォーミング、プリコーディング行列、及び送信電力、という特性のうちの１つ又は複数を含む。
【００６２】
上記方法は、さらに、受信側のワイヤレスデバイス１０から、受信側のワイヤレスデバイス１０におけるトランスポートブロックの受信及び成功裏の復号を確認する確認応答（ＡＣＫ）を受信することＳ２、を含む。確認応答は、通信プロトコルの一部として、通信デバイス間で確認応答又はレスポンスの受信を知らせるために受け渡される信号である。言い換えれば、受信側のワイヤレスデバイスは、トランスポートブロックが成功裏に復号され、再送を要しないことを指し示した。本開示によれば、上記ＡＣＫは、復号の復号マージンをさらに定義する。あるいは換言すると、上記ＡＣＫは、成功裏の復号の復号マージンを示す情報を含む。
【００６３】
復号マージンを示す情報は、例えば、復号マージンである。復号マージンは、ブロックを成功裏に復号するために要した、ワイヤレスデバイス内の例えば処理キャパシティなどの利用可能なリソースのシェアを定義する。原理上、復号マージンは、上述した物理レイヤ内の他のブロックをも反映するであろう。しかしながら、復号マージンを示す情報は、復号器より前のステップ群を反映する他のメトリックをも含んでよい。時間、反復、又はアクティブなブロック若しくはユニットといった様々なメトリックが復号マージンを定義するために使用されてよい。
【００６４】
よって、ＡＣＫは、トランスポートブロックの成功裏の復号に関連付けられる、受信側のワイヤレスデバイスの制約を指し示す情報を含む。その制約は、例えば、合計キャパシティの一部として指し示されてもよい。よって、いくつかの側面によれば、復号のマージンは、無線ネットワークノード２０の処理キャパシティの、トランスポートブロックの受信及び／又は復号のために使用された部分の標識を含む。
【００６５】
いくつかの側面によれば、復号マージンを示す情報は、第１のトランスポートブロックの受信及び／又は復号のために使用された、無線ネットワークノード２０又はワイヤレスデバイス１０の処理キャパシティのシェアの標識を含む。いくつかの側面によれば、処理キャパシティとは、復号を実行するユニットの物理レイヤ処理を実装する１つ以上のデジタル信号プロセッサの処理キャパシティである。
【００６６】
いくつかの側面によれば、復号のマージンは、復号の反復回数を指し示す。１つの例は、図１ｂに関連して説明したような、ターボ復号器による反復である。よって、予め定義される閾値を上回る反復回数をトランスポートブロックを復号するために要した場合、ソフトＡＣＫが送信される。これは、トランスポートブロックを復号するために必要とされた労力が大きかったことを指し示す。
【００６７】
いくつかの側面によれば、復号のマージンは、トランスポートブロックの受信及び／又は復号の期間中にアクティブ化され又は使用されるハードウェアユニットの数を指し示す。例えば、いくつもの受信機ブランチ又は受信機アンテナがアクティブである場合、ソフトＡＣＫが送信される。例えば、確認応答がなされるその時点のモードは、ＵＥが２つのＲｘアンテナを使用することを要し、但しＵＥは４つのアンテナを有していて、従って受信を改善するためにより多くのアンテナを有効化することができるかもしれない。その場合、労力がより小さいことを指し示すハードＡＣＫが送信されるはずである。
【００６８】
ハードウェアユニットの他の例は、処理ユニット又はメモリユニットである。復号マージンを示す情報は、反復、ハードウェアユニット及び他のパラメータの組み合わせに基づいて計算されることもできるであろう。
【００６９】
いくつかの側面によれば、受信することＳ２は、複数のあり得るＡＣＫレベルのうちの１つを定義する情報を受信すること、を示唆し、各レベルが予め定義されるレンジの範囲内の復号マージンに対応する。別の言い方をすると、復号マージンは、送信Ｓ１のロバスト性を減少させると復号の不成功のリスクが過酷となるかに関する標識である。この側面は、各々が復号マージンを表現する１つ以上のＡＣＫレベルが導入されることを示唆し、それは即ち、ブロックを成功裏に復号するためにどの程度のキャパシティ又はどの程度の労力を受信機及び／又は復号器が使用しなければならないか、である。例えば、ソフトＡＣＫ及びハードＡＣＫがあって、ソフトＡＣＫはＵＥがブロックを成功裏に復号したもののかろうじて復号できたに過ぎないことを指し示す。ハードＡＣＫは、ブロックが良好なマージンを伴って成功裏に復号されたことを指し示す。ソフトＡＣＫを受信することにより、基地局は、チャネルの変動に起因して後続のパッケージが失敗するリスクが存在することを知らされる。一方、ハードＡＣＫは、送信に不必要なオーバヘッドが存在するかもしれないことを指し示す。ＵＥは、自身の物理レイヤ処理キャパシティにどの程度近いかに基づいて、成功裏に復号したブロックについてソフトＡＣＫを送信するか又はハードＡＣＫを送信するかを決定し得る。
【００７０】
いくつかの側面によれば、上記方法は、復号のマージンに基づいて、受信側のワイヤレスデバイス１０への１つ以上のさらなるトランスポートブロックの送信のために使用されるように送信特性を再構成することＳ３、をさらに含む。言い換えれば、無線ネットワークノードは、ネットワークリソースの利用率を最大化する目的で、復号のマージンを利用してよい。
【００７１】
いくつかの側面によれば、再構成することＳ３は、受信側のワイヤレスデバイス１０への１つ以上のさらなるトランスポートブロックの送信のロバスト性を、上記トランスポートブロックの送信のロバスト性に対して変更すること、を含む。ロバスト性とは、ブロックエラーのリスクであり、典型的には、リソース使用に依存する。
【００７２】
いくつかの側面によれば、再構成することＳ３は、復号のマージンが予め定義されるレベルを下回る場合に、トランスポートブロックの送信のロバスト性よりも高いロバスト性に対応する送信特性を選択すること、を含む。いくつかの側面によれば、再構成することＳ３は、復号のマージンが予め定義されるレベルを上回る場合に、トランスポートブロックの送信のロバスト性よりも低いロバスト性に対応する送信特性を選択すること、を含む。言い換えれば、復号マージンを示す情報が高い場合、ネットワークノードは、何らかの手法でロバスト性の低い送信を選択することを決定し得る。上記予め定義されるレベルは、予め定義されてもよく、又はその時点の状況若しくは使用されるサービスに基づいて動的に調整されてもよい。Ｃ−ＭＴＣについて固有のレベルが使用されてもよい。
【００７３】
よって、ロバスト性は、典型的には、リソースを追加することにより増大され、又はリソースを低減することにより減少させられる。リソースは、例えば、物理リソース又は無線リソース（時間及び／又は周波数）である。
【００７４】
いくつかの側面によれば、ロバスト性は、ＵＥが空間ダイバーシティの使用（ＭＩＭＯ）が可能となるはずのチャネル条件（ＲＩを介するランク）をレポートした場合でさえ、空間ダイバーシティを使用する代わりに送信ダイバーシティを用いてダウンリンク上で送信を行うことにより調整される。
【００７５】
いくつかの側面によれば、ロバスト性は、ＭＣＳ単独ではなく他の手段を組み合わせることにより調整される。例えば、ダウンリンク送信は、ＵＥ割り当てのために、データとリファレンスシンボルとの間で異なる電力オフセットを使用してもよく、又はセル境界にいるＵＥの受信を改善するためにＩＣＩＣ／ｅＩＣＩＣを適用してもよい。
【００７６】
また、ロバスト性は、ＵＥが空間ダイバーシティの使用（ＭＩＭＯ）が可能となるはずのチャネル条件（ＲＩを介するランク）をレポートした場合でさえ、空間ダイバーシティを使用する代わりに送信ダイバーシティを用いてダウンリンク上で送信を行うことにより調整されてもよい。
【００７７】
ロバスト性は、ＭＣＳ単独ではなく他のパラメータを変更することにより調整されてもよい。例えば、ダウンリンク送信は、ＵＥ割り当てのために、データとリファレンスシンボルとの間で異なる電力オフセットを使用してもよく、又はセル境界にいるＵＥの受信を改善するためにＩＣＩＣ／ｅＩＣＩＣを適用してもよい。
【００７８】
また、ロバスト性は、ＵＥが空間ダイバーシティの使用（ＭＩＭＯ）が可能となるはずのチャネル条件（ＲＩを介するランク）をレポートした場合でさえ、空間ダイバーシティを使用する代わりに送信ダイバーシティを用いてダウンリンク上で送信を行うことにより調整されてもよい。
【００７９】
典型的には、ロバスト性は、直接的に変更されるのではなく、例えばＳＡＣＫとＨＡＣＫとの間の比率など、平均的な復号マージンを示す情報に基づいて変更される。その比率は、転じて、ロバスト性のレベルが変更されるべきかを制御する。これは、ＭＣＳオフセットが例えば１０％のＢＬＥＲを有するように調整される既存のアウターループリンク適応に類似している。
【００８０】
よって、いくつかの側面によれば、上記方法は、さらに、無線ネットワークノード２０とワイヤレスデバイス１０との間の、送信特性のセットを用いて送信される前回の及び現在のトランスポートブロックの復号マージンを表現する蓄積された復号マージンを計算することＳ３５、を含む。そして、再構成することＳ４は、蓄積された復号マージンに基づく。
【００８１】
いくつかの側面によれば、上記方法は、さらに、再構成された送信特性を用いて、受信側のワイヤレスデバイス１０へ１つ以上のさらなるトランスポートブロックを送信することＳ４、を含む。
【００８２】
ワイヤレスデバイス１０において実行される、送信フィードバックを無線ネットワークノード２０へ提供する対応する方法について、これより図３を参照しながら説明する。よって、以下の方法ステップは、トランスポートブロックを受信する場合のデバイスにおいて実装されてよい。
【００８３】
上述したように、拡張ＡＣＫフォーマットはネットワークノードとワイヤレスデバイスとの間の何らかのシグナリングを通じて有効化されてよい。いくつかの側面によれば、上記方法は、さらに、復号のマージンを指し示すＡＣＫレポーティングフォーマットを有効化するためのリクエストを無線ネットワークノード２０へ送信することＳ１０ａ、を含む。いくつかの側面によれば、上記方法は、さらに、復号のマージンを指し示すＡＣＫレポーティングフォーマットを有効化するためのリクエストを無線ネットワークノード２０から受信することＳ１０ｂ、を含む。
【００８４】
理解されるべきこととして、図３は、実線の境界で描かれたいくつかの動作と、破線の境界で描かれたいくつかの動作とを含む。実線の境界内に含まれる動作は、より広い例示的な実施形態に含まれる動作である。破線の境界内に含まれる動作は、実線の境界の例示的な実施形態の動作に含まれてもよく、その一部であってもよく、又はそれに加えて取り入れられ得るさらなる動作であってもよい例示的な実施形態である。理解されるべきこととして、それら動作は、順序通りに実行されなくてもよい。そのうえ、理解されるべきこととして、それら動作の全てが実行される必要があるわけではない。例示的な動作は、いかなる適した順序で実行されてもよく、いかなる組み合わせで実行されてもよい。
【００８５】
フィードバックを提供する提案方法は、無線ネットワークノード２０からトランスポートブロックを受信することＳ１１と、当該トランスポートブロックを復号することＳ１２と、を含む。言い換えれば、このステップは、ステップＳ１において送信されるトランスポートブロックがワイヤレスデバイスにおいて受信されることを示唆する。そのブロックを復号する際、復号マージンが判定される（ステップＳ１３）。復号マージンは、例えば、復号器からの又はメモリからの値若しくはデータを読み取ることにより判定されてもよい。
【００８６】
そして、上記方法は、無線ネットワークノード２０へ、トランスポートブロックの受信及び成功裏の復号の確認応答（ＡＣＫ）を送信することＳ１４、を含み、そのＡＣＫは、復号の復号マージンを定義する。いくつかの側面によれば、そのＡＣＫは、複数のあり得るＡＣＫレベルのうちの１つを定義し、各ＡＣＫレベルが予め定義されるレンジの範囲内の復号マージンに対応する
【００８７】
いくつかの側面によれば、上記復号のマージンは、無線ネットワークノード２０の処理キャパシティのうち、上記トランスポートブロックの受信又は復号のために使用されたシェアの標識を含む。
【００８８】
いくつかの側面によれば、上記処理キャパシティは、物理レイヤ処理を実装する１つ以上のデジタル信号プロセッサの処理キャパシティである。
【００８９】
いくつかの側面によれば、上記復号のマージンは、復号の反復回数を指し示す。１つの例は、図１に関連して説明したようなターボ復号器の反復である。よって、予め定義される閾値を上回る反復回数をトランスポートブロックの復号に要した場合には、ソフトＡＣＫが送信される。これは、トランスポートブロックを復号するために必要とされた労力が大きかったことを示す。
【００９０】
いくつかの側面によれば、上記復号のマージンは、受信及び／又は復号の期間中にアクティブ化され又は使用されるハードウェアユニットの数を指し示す。例えば、いくつもの受信機ブランチ又は受信機アンテナがアクティブであれば、ＳＡＣＫが送信される。例えば、確認応答がなされるその時点のモードは、ＵＥが２つのＲｘアンテナを使用することを要し、但しＵＥは４つのアンテナを有していて、従って受信を改善するためにより多くのアンテナを有効化することができるかもしれない。その場合、労力がより小さいことを指し示すハードＡＣＫが送信されるはずである。
【００９１】
ハードウェアユニットの他の例は、処理ユニット又はメモリユニットである。復号マージンは、反復、ハードウェアユニット及び他のパラメータの組み合わせに基づいて計算されることもできるであろう。
【００９２】
図４ａ及び図４ｂは、無線ネットワークノードとワイヤレスデバイスとの間のシグナリグを例示するシグナリング図である。
【００９３】
図４ａにおいて、無線ネットワークノードは、インデックス３を有する変調符号化方式を用いて送信を行っている。この例において、ワイヤレスデバイスは、ソフトＡＣＫで応答し、ここではそれをＡＣＫ１と呼ぶ。これは、復号マージンが閾値を下回ることを指し示す。この例において、無線ネットワークノードは、従って、その送信特性を変更しない。
【００９４】
図４ｂにおいても、無線ネットワークノードは、インデックス３を有する変調符号化方式を用いて送信を行っている。しかしながら、この例では、ワイヤレスデバイスは、ハードＡＣＫで応答し、ここではそれをＡＣＫ２と呼ぶ。これは、復号マージンが閾値を上回ることを指し示す。この例において、無線ネットワークノードは、従って、リソースを自由にする目的で、よりロバスト性の低い変調方式を使用するように送信特性を変更する。これは、パケットを逸失するリスクが低い状態で行われることができ、なぜなら、復号マージンが低いことが分かっているからである。なお、これは簡略化された例である。よりありそうな実装は、ＡＣＫを経時的に蓄積し、ＨＡＣＫのレートがあるレベルを上回る場合にＭＣＳを変更することであろう。
【００９５】
［無線ネットワークノードの例示的なノード構成］
図５は、上で議論した例示的なノードの動作の実施形態のいくつかを取り入れ得る無線ネットワークノード２０の一例を示している。図５に示したように、無線ネットワークノード２０は、ネットワーク内で任意の形式の通信又は制御信号を送受信するように構成される無線通信インタフェース２１、を備え得る。理解されるべきこととして、無線通信インタフェース２１は、いかなる数の送受信、受信、及び／又は送信ユニット若しくは回路として設けられてもよい。さらに理解されるべきこととして、無線通信インタフェース２１は、当分野で知られたいかなる入出力通信ポートの形式であってもよい。無線通信インタフェース２１は、ＲＦ回路及びベースバンド処理回路（図示せず）を含み得る。
【００９６】
無線ネットワークノード２０は、コアネットワーク及び／又は他のネットワークノードとの間で任意の形式の通信信号又は制御信号を交換するように構成されるネットワーク通信インタフェース２３を備え得る。ネットワーク通信は、典型的には、バックホールとして言及される。
【００９７】
無線ネットワークノード２０は、さらに、無線通信インタフェース２１と通信関係にあり得る少なくとも１つのメモリユニット又は回路２４を備え得る。メモリ２４は、受信され若しくは送信されるデータ、及び／又は実行可能なプログラム命令を記憶する、ように構成され得る。また、メモリ２４は、任意の形式のビームフォーミング情報、リファレンス信号、及び／又はフィードバックデータ若しくは情報を記憶する、ように構成されてもよい。メモリ２４は、いかなる適したタイプのコンピュータ読取可能なメモリであってもよく、揮発タイプであっても及び／又は不揮発タイプであってもよい。いくつかの側面によれば、本開示は、無線ネットワークノードにおいて実行された場合に、当該無線ネットワークノードに、上述した例示的なノードの動作の何らかの側面を実行させるコンピュータプログラムコード、を含むコンピュータプログラムに関する。
【００９８】
無線ネットワークノード２０は、さらに、無線通信インタフェース２１を通じて、送信特性のセットを用いて、受信側のワイヤレスデバイス１０へトランスポートブロックを送信し、無線通信インタフェース２１を通じて、受信側のワイヤレスデバイス１０から、当該受信側のワイヤレスデバイス１０におけるトランスポートブロックの受信及び成功裏の復号を確認する確認応答（ＡＣＫ）であって上記復号の復号マージンを定義する当該ＡＣＫを受信する、ように構成されるコントローラ又は処理回路２２、を備え得る。
【００９９】
処理回路２２は、例えばマイクロプロセッサ、ＤＳＰ（digital  signal  processor）、ＦＰＧＡ（field  programmable  gate  array）若しくはＡＳＩＣ（application  specific  integrated  circuit）又は任意の他の形式の回路など、いかなる適したタイプの計算ユニットであってもよい。理解されるべきこととして、処理回路は、単一のユニットとして提供されなくてもよく、いかなる数のユニット又は回路として提供されてもよい。処理回路は、さらに、ここまで及びこれ以降で説明したネットワークノードにおける方法の全ての側面を実行するように適合される。
【０１００】
いくつかの側面によれば、処理回路２２は、上記復号のマージンに基づいて、受信側のワイヤレスデバイス１０への１つ以上のさらなるトランスポートブロックの送信のために使用されるように送信特性を再構成する、ようにさらに構成される
【０１０１】
いくつかの側面によれば、処理回路２２は、再構成された送信特性を用いて、受信側のワイヤレスデバイス１０へ１つ以上のさらなるトランスポートブロックを送信する、ようにさらに構成される。
【０１０２】
いくつかの側面によれば、処理回路２２は、受信側のワイヤレスデバイス１０への１つ以上のさらなるトランスポートブロックの送信のロバスト性を、上記トランスポートブロックの送信のロバスト性に対して変更することにより、受信側のワイヤレスデバイス１０への１つ以上のさらなるトランスポートブロックの送信のために使用されるように送信特性を再構成する、ようにさらに構成される。
【０１０３】
いくつかの側面によれば、処理回路２２は、上記復号のマージンが予め定義されるレベルを下回る場合に、上記トランスポートブロックの送信のロバスト性よりも高いロバスト性に対応する送信特性を選択することにより、受信側のワイヤレスデバイス１０への１つ以上のさらなるトランスポートブロックの送信のために使用されるように送信特性を再構成する、ようにさらに構成される。
【０１０４】
いくつかの側面によれば、処理回路２２は、上記復号のマージンが予め定義されるレベルを上回る場合に、上記トランスポートブロックの送信のロバスト性よりも低いロバスト性に対応する送信特性を選択することにより、受信側のワイヤレスデバイス１０への１つ以上のさらなるトランスポートブロックの送信のために使用されるように送信特性を再構成する、ようにさらに構成される。
【０１０５】
いくつかの側面によれば、処理回路２２は、無線ネットワークノード２０とワイヤレスデバイス１０との間の、送信特性の上記セットを用いて送信される前回の及び現在のトランスポートブロックの復号マージンを表現する蓄積された復号マージンを計算（Ｓ３５）する、ようにさらに構成される。その場合、処理回路２２は、上記蓄積された復号マージンに基づいて、受信側のワイヤレスデバイス１０への１つ以上のさらなるトランスポートブロックの送信のために使用されるように送信特性を再構成する、ようにさらに構成される。
【０１０６】
いくつかの側面によれば、送信特性は、変調符号化方式、無線アクセス技術、ＭＩＭＯ（Multiple  Input  Multiple  Output）送信モード、ビームフォーミング、プリコーディング行列、及び送信電力、という特性のうちの１つ又は複数を含む。
【０１０７】
いくつかの側面によれば、上記復号のマージンは、無線ネットワークノード２０の処理キャパシティのうち、上記トランスポートブロックの受信及び／又は復号のために使用された部分の標識を含む。
【０１０８】
いくつかの側面によれば、処理回路２２は、複数のあり得るＡＣＫレベルのうちの１つを定義する情報を受信するようにさらに構成され、各レベルが予め定義されるレンジの範囲内の復号マージンに対応する。
【０１０９】
いくつかの側面によれば、処理回路２２は、受信側のワイヤレスデバイス１０へ、復号のマージンを指し示すＡＣＫレポーティングフォーマットを有効化するためのリクエストを送信する、ようにさらに構成される。
【０１１０】
いくつかの側面によれば、処理回路２２は、受信側のワイヤレスデバイス１０から、復号のマージンを指し示すＡＣＫレポーティングフォーマットを有効化するためのリクエストを受信する、ようにさらに構成される。
【０１１１】
いくつかの側面によれば、処理回路２２は、無線通信インタフェース２１を通じて、送信特性のセットを用いて、受信側のワイヤレスデバイス１０へトランスポートブロックを送信する、ように構成される送信モジュール２２１、を含む。さらに、当該処理回路は、無線通信インタフェース２１を通じて、受信側のワイヤレスデバイス１０から、当該受信側のワイヤレスデバイス１０におけるトランスポートブロックの受信及び成功裏の復号を確認する確認応答（ＡＣＫ）であって上記復号の復号マージンを定義する当該ＡＣＫを受信する、ように構成される受信モジュール２２２、を含む。
【０１１２】
いくつかの側面によれば、上記処理回路は、さらに、受信側のワイヤレスデバイス１０へ、復号のマージンを指し示すＡＣＫレポーティングフォーマットを有効化するためのリクエストを送信する、ように構成される送信モジュール２２０ａ、を含む。
【０１１３】
いくつかの側面によれば、上記処理回路は、さらに、受信側のワイヤレスデバイス１０から、復号のマージンを指し示すＡＣＫレポーティングフォーマットを有効化するためのリクエストを受信する、ように構成される受信モジュール２２０ｂ、を含む。
【０１１４】
いくつかの側面によれば、上記処理回路は、さらに、上記復号のマージンに基づいて、受信側のワイヤレスデバイス１０への１つ以上のさらなるトランスポートブロックの送信のために使用されるように送信特性を再構成する、ように構成される再構成モジュール２２３、を含む。
【０１１５】
いくつかの側面によれば、上記処理回路は、さらに、再構成された送信特性を用いて、受信側のワイヤレスデバイス１０へ１つ以上のさらなるトランスポートブロックを送信する、ように構成される送信モジュール２２４、を含む。
【０１１６】
［ワイヤレスデバイスの例示的なノード構成］
図６は、上で議論した例示的なノードの動作の実施形態のいくつかを取り入れ得る受信側のワイヤレスデバイス１０の一例を示している。図６に示したように、ワイヤレスデバイス１０は、ネットワーク内で任意の形式の通信又は制御信号を送受信するように構成される無線通信インタフェース１１、を備え得る。理解されるべきこととして、無線通信インタフェース１１は、いかなる数の送受信、受信、及び／又は送信ユニット若しくは回路として設けられてもよい。さらに理解されるべきこととして、無線通信インタフェース１１は、当分野で知られたいかなる入出力通信ポートの形式であってもよい。無線通信インタフェース１１は、ＲＦ回路及びベースバンド処理回路（図示せず）を含み得る。
【０１１７】
ワイヤレスデバイス１０は、さらに、無線通信インタフェース１１と通信関係にあり得る少なくとも１つのメモリユニット又は回路１３を備え得る。メモリ１３は、受信され若しくは送信されるデータ、及び／又は実行可能なプログラム命令を記憶する、ように構成され得る。また、メモリ１３は、任意の形式のビームフォーミング情報、リファレンス信号、及び／又はフィードバックデータ若しくは情報を記憶する、ように構成されてもよい。メモリ１３は、いかなる適したタイプのコンピュータ読取可能なメモリであってもよく、揮発タイプであっても及び／又は不揮発タイプであってもよい。いくつかの側面によれば、本開示は、ワイヤレスデバイスにおいて実行された場合に、当該ワイヤレスデバイスに、上述した例示的なノードの動作の何らかの側面を実行させるコンピュータプログラムコード、を含むコンピュータプログラムに関する。
【０１１８】
ワイヤレスデバイス１０は、さらに、無線通信インタフェース１１を通じて、無線ネットワークノード２０からトランスポートブロックを受信し、上記トランスポートブロックを復号する、ように構成され得るコントローラ又は処理回路１２、を備え得る。処理回路１３は、無線通信インタフェース１１を通じて、無線ネットワークノード２０へ上記トランスポートブロックの受信及び成功裏の復号を確認する確認応答（ＡＣＫ）であって上記復号の復号マージンを定義する当該ＡＣＫを送信する、ように構成される。
【０１１９】
処理回路１２は、例えばマイクロプロセッサ、ＤＳＰ（digital  signal  processor）、ＦＰＧＡ（field  programmable  gate  array）若しくはＡＳＩＣ（application  specific  integrated  circuit）又は任意の他の形式の回路など、いかなる適したタイプの計算ユニットであってもよい。理解されるべきこととして、処理回路は、単一のユニットとして提供されなくてもよく、いかなる数のユニット又は回路として提供されてもよい。処理回路は、さらに、ここまで及びこれ以降で説明したワイヤレスデバイスにおける方法の全ての側面を実行するように適合される。
【０１２０】
いくつかの側面によれば、上記ＡＣＫは、複数のあり得るＡＣＫレベルのうちの１つを定義し、各ＡＣＫレベルが予め定義されるレンジの範囲内の復号マージンに対応する。
【０１２１】
いくつかの側面によれば、上記復号のマージンは、無線ネットワークノード２０の処理キャパシティのうち、上記トランスポートブロックの受信又は復号のために使用されたシェアの標識を含む。
【０１２２】
いくつかの側面によれば、上記処理キャパシティは、物理レイヤ処理を実装する１つ以上のデジタル信号プロセッサの処理キャパシティである。例えば、上記復号のマージンは、上記復号の反復回数、又は、受信及び／若しくは復号の期間中にアクティブ化され又は使用されるハードウェアユニットの数を指し示す。
【０１２３】
いくつかの側面によれば、処理回路１２は、無線ネットワークノード２０へ、復号のマージンを指し示すＡＣＫレポーティングフォーマットを有効化するためのリクエストを送信し、又は、無線ネットワークノード２０から、復号のマージンを指し示すＡＣＫレポーティングフォーマットを有効化するためのリクエストを受信する、ように構成される。
【０１２４】
いくつかの側面によれば、上述した方法を実行するように構成される複数のモジュールを含む。よって、いくつかの側面によれば、処理回路１２は、無線通信インタフェース１１を通じて、無線ネットワークノード２０からトランスポートブロックを受信する、ように構成される受信モジュール１２１と、上記トランスポートブロックを復号する、ように構成される復号モジュール１２２と、を含む。処理回路１２は、さらに、無線通信インタフェース１１を通じて、無線ネットワークノード２０へ上記トランスポートブロックの受信及び成功裏の復号の確認応答（ＡＣＫ）であって上記復号の復号マージンを定義する当該ＡＣＫを送信する、ように構成される送信モジュール１２４、を含む。
【０１２５】
いくつかの側面によれば、上記処理回路は、無線ネットワークノードへ、復号のマージンを指し示すＡＣＫレポーティングフォーマットを有効化するためのリクエストを送信する、ように構成される送信モジュール１２０ａ、をさらに含む。
【０１２６】
いくつかの側面によれば、上記処理回路は、無線ネットワークノードから、復号のマージンを指し示すＡＣＫレポーティングフォーマットを有効化するためのリクエストを受信する、ように構成される受信モジュール１２０ｂ、をさらに含む。
【０１２７】
いくつかの側面によれば、上記処理回路は、第１のブロックの復号の復号マージンを判定する、ように構成される判定部１２３、をさらに含む。
【０１２８】
図７及び図８を参照しながら、２つの例示的な実装についてこれ以降で説明する。なお、図７及び図８において、文字ａ〜ｄが図３及び図４の方法ステップの詳細を示すために使用されている。例えば、図８におけるステップＳ２ａ、Ｓ２ｂ、Ｓ２ｃ及びＳ２ｄは、図３におけるより一般的なステップＳ２ａに対応する。
【０１２９】
［ＵＥにおける例示的な実装］
ダウンリンク受信のためのＵＥ側の本開示の例示的な処理ステップが図７に示されている。
【０１３０】
ＵＥは、データのトランスポートブロックを受信（Ｓ１１）し、その復号（Ｓ１２）を試行する。復号が失敗した場合（Ｓ１３；ＮＯ）、ＵＥは、ＮＡＣＫを準備（Ｓ１５ａ）して基地局へ送信（Ｓ１５ｂ）する。一方で、復号が成功した場合（Ｓ１３；ＹＥＳ）、ＵＥは、復号においてどれだけのマージンを有したかを定量化（Ｓ１３ａ）する。マージンは、復号が成功しなければ利用され得たはずの、ターボ復号の反復、他の種類の反復（例えば、逐次的な干渉除去、球面復号）、処理、及び／又はメモリリソースが復号の成功時点であとどれほどであったか、であってもよい。具体的に言うと、ターボ復号器がそのキャパシティ又はバジェットの８０％までを利用した場合、ＵＥは、使用されたＭＣＳに十分なマージンがあることを見出してもよく（Ｓ１３ｂ；ＹＥＳ）、よってハードＡＣＫを準備（Ｓ１４ａ´）し、ハードＡＣＫは基地局へ送信されことになる（Ｓ１４ｂ）。一方で、反復の観点でキャパシティの２０％未満しか残されていない場合、ＵＥは、マージンが小さ過ぎると見なし（Ｓ１３ｂ；ＮＯ）、ソフトＡＣＫを準備（Ｓ１４ａ）し、ソフトＡＣＫが基地局へ送信されことになる（Ｓ１４ｂ）。
【０１３１】
［ネットワークノードにおける例示的な実装］
ダウンリンク送信のための基地局側の本開示の例示的な処理ステップが図８に示されている。
【０１３２】
基地局は、ＵＥからＨＡＲＱインジケータを受信（Ｓ２ａ）し、ＢＬＥＲ及びＳＡＲについての統計及び履歴を更新（Ｓ２ｂ）する。履歴は、ここでは例えば、ＢＬＥＲについてＮＡＣＫ及びＡＣＫ（ソフト又はハードＡＣＫ）、ＳＡＲについてソフトＡＣＫ及びハードＡＣＫの直近のＮ個を収容するバッファであってよい。バッファリングされるデータは、それぞれＢＬＥＲ及びＳＡＲを計算するために使用される。
【０１３３】
ＮＡＣＫが受信される場合（Ｓ２ｃ；ＹＥＳ）、基地局は、相当にロバスト性の高い送信を提供する安全な設定へ、即座にＵＥ向けのＭＣＳオフセットを調整（Ｓ５）する。また、基地局は、ＳＡＲ統計をリセットし、ＳＡＲを計算する際に使用したバッファをクリア（Ｓ５ａ）する。後続の送信において、基地局は、ＵＥによりレポートされる具体的なＣＱＩインデックスについてどのＭＣＳを使用すべきかを判定する際に、新たなＭＣＳオフセットを適用する。その修正は、例えば、ＵＥへトランスポートブロックが送信された際に使用されたものよりも２レベル以上高くロバスト性を増加させることに相当し得る。
【０１３４】
ハード又はソフトＡＣＫが受信された場合（Ｓ２ｃ；ＮＯ）、基地局は、ＳＡＲが目標ＳＡＲ（例えば、ＳＡＲ１０％）を上回るかをチェックし、上回るときは（Ｓ２ｄ；ＹＥＳ）、例えばＵＥへトランスポートブロックが送信された際に使用されたものより１つ上のレベルのロバスト性を達成するようにＭＣＳオフセットを修正し、後続の送信についてＭＣＳを判定する際にそのＭＣＳオフセットを使用する（Ｓ３ｂ）。ＳＡＲが目標以下であるときは（Ｓ２ｄ；ＮＯ）、基地局は、ＳＡＲがどの程度長い時間目標を続けて下回ってきたかをチェックする。その時間が、実際の時間を表現し得るある時間Ｔ、又はソフトＡＣＫ若しくはハードＡＣＫを受信してきたＴＴＩを超える場合（Ｓ２ｄ；ＹＥＳ）、それら送信は、ある時間にわたり意図されるよりもロバストであったということであり、基地局は、例えばＵＥへトランスポートブロックが送信された際に使用されたものより１つ下のロバスト性のレベルへＭＣＳオフセットを低減（Ｓ３ｃ）する。Ｔというパラメータ値は、例えば０（瞬間的）以上で構成されてよく、それにより、ロバスト性の低減に関するシステムの反応の程度をチューニングすることが可能とされる。そして、基地局は、後続の送信のために使用されるべきＭＣＳを判定する際に新たなＭＣＳオフセットを適用（Ｓ４）する。
【０１３５】
ＳＡＲが十分長く目標を下回っていなかった場合（Ｓ２ｅ；ＮＯ）、基地局は、前回の送信において使用されたものと同じＭＣＳオフセットを使用する。
【０１３６】
注：基地局により期待された時にＵＥがＡＣＫ／ＮＡＣＫを送信しないケースは、ＮＡＣＫとしてカウントされてよい。
【０１３７】
本開示の文脈の範囲内で、“ワイヤレス端末”又は“ワイヤレスデバイス”との用語は、ワイヤレス信号を送受信することにより、他のデバイスとの間で、及びオプションとしてワイヤレスネットワークのアクセスノードとの間でワイヤレスに通信可能ないかなる端末をも包含する。よって、“ワイヤレス端末”との用語は、限定ではないものの、例えばＬＴＥ  ＵＥなどのユーザ機器、モバイル端末、マシンツーマシン通信用の据え置き型の若しくは移動型のワイヤレスデバイス、集積された若しくは組み込まれたワイヤレスカード、外部プラグイン式のワイヤレスカード、ドングルなどを包含する。本開示を通じて、“ユーザ機器”との用語は、ときに多様な実施形態を例示するために使用されている。しかしながら、ここで説明した概念は他のワイヤレスノードへ等しく適用可能であることから、これは限定として解釈されるべきではない。よって、本開示において“ユーザ機器”あるいは“ＵＥ”への言及がなされる都度、それは上で定義したようないかなるワイヤレス端末をも包含するものとして理解されるべきである。
【０１３８】
本開示の複数の側面が、例えばブロック図及び／又はフローチャートなどの図面を参照しながら説明されている。例えばブロック図のブロックなどの図面内の複数のエンティティ、及び図面内のエンティティの組み合わせを、コンピュータプログラム命令により実装することができることが理解される。コンピュータプログラム命令は、コンピュータ読取可能なメモリ内に記憶され、コンピュータ又は他のプログラマブルデータ処理装置へロードされることができる。そうしたコンピュータプログラム命令を、汎用コンピュータ、特殊用途コンピュータ及び／又は他のプログラマブルデータ処理装置のプロセッサへ提供してマシンを生成することができ、それにより、コンピュータ及び／又は他のプログラマブルデータ処理装置のプロセッサを介して稼働する命令は、ブロック図及び／又はフローチャートの１つ若しくは複数のブロックにおいて特定した機能／動作を実装するための手段を生み出すことができる。
【０１３９】
いくつかの実装において、本開示のいくつかの側面によれば、ブロックに記述した機能又はステップは、動作上の説明において記述した順序から外れて行われることができる。例えば、連続して示されている２つのブロックが、関係する機能性／動作に依存して、実際には実質的に並列に実行されてもよく、又は、逆の順序で実行される場合があってもよい。また、ブロックに記述した機能又はステップは、本開示のいくつかの側面によれば、ループとして連続的に実行されてもよい。
【０１４０】
図面及び明細書において、本開示の例示的な側面が開示されてきた。しかしながら、本開示の原理から実質的に逸脱することなく、それら側面に対し多様な変形及び修正をなすことができる。よって、本開示は、制限的というより説明的であって、上で議論した具体的な側面には限定されないものと見なされるべきである。従って、固有の用語が採用されてはいるものの、それらはただ汎用的かつ説明的な意味で使用されており、限定を目的としない。
【０１４１】
ここで提供した例示的な実施形態の説明は、例示の目的のために呈示されている。その説明は、網羅的であること、又は例としての実施形態を開示した正確な形式に限定することを意図しておらず、上の教示を踏まえて修正及び変形が可能であり、提供した実施形態に対する多様な代替策の実践から修正及び変形が獲得され得る。ここで議論した例は、多様な例示的な実施形態の原理及び性質、並びに当業者が多様なやり方で例示的な実施形態を利用することを可能にする実践的な応用を説明する目的で選定され説明されており、それは想起される具体的な用途に適したような多様な修正を伴う。ここで説明した実施形態の特徴は、方法、装置、モジュール、システム及びコンピュータプログラムプロダクトのあらゆる可能な組み合わせで組み合わせられてよい。理解されるべきこととして、ここで呈示した例示的な実施形態は、互いにいかなる組み合わせで実践されてもよい。
【０１４２】
留意すべきこととして、“含む／備える（comprising）”との語は、列挙されたもの以外の他のエレメント又はステップの存在を必ずしも排除せず、エレメントに先行する“a”又は“an”との語は、複数のそうしたエレメントの存在を排除しない。さらに留意すべきこととして、いかなる参照記号も特許請求の範囲のスコープを限定せず、例示的な実施形態はハードウェア及びソフトウェアの双方の手段で少なくとも部分的に実装されてよく、複数の“手段”、“ユニット”又は“デバイス”が同じハードウェアの品目によって表現されてもよい。
【０１４３】
ここで説明した多様な例示的な実施形態は、方法ステップ又はプロセッサの一般的な文脈で説明されており、それは１つの側面ではコンピュータ読取可能な媒体で具現化されるコンピュータプログラムプロダクトにより実装されてよく、コンピュータ読取可能な媒体は、ネットワーク化された環境内のコンピュータにより実行されるプログラムコードなどのコンピュータ実行可能な命令を含む。コンピュータ読取可能な媒体は、限定ではないものの、ＲＯＭ（Read  Only  Memory）、ＲＡＭ（Random  Access  Memory）、ＣＤ（compact  discs）、ＤＶＤ（digital  versatile  discs）などを含む、着脱式の及び非着脱式の記憶デバイスを含んでよい。概して、プログラムモジュールは、具体的なタスクを実行し又は具体的で抽象的なデータタイプを実装する、ルーチン、プログラム、オブジェクト、コンポーネント、データ構造などを含んでよい。コンピュータ実行可能な命令、関連付けられるデータ構造及びプログラムモジュールは、ここで開示した方法のステップを実行するためのプログラムコードの例を表す。そうした実行可能な命令又は関連付けられるデータ構造の具体的なシーケンスは、そうしたステップ又はプロセスにおいて説明した機能を実装するための対応する動作の例を表す。
【０１４４】
図面及び明細書において、例示的な実施形態が開示されてきた。しかしながら、それら実施形態に対し多くの変形及び修正をなすことができる。従って、固有の用語が採用されてはいるものの、それらはただ汎用的かつ説明的な意味で使用されており、限定を目的とはせず、実施形態のスコープは以下の特許請求の範囲によって定義される。
【図１ａ】
0006518337.tif 000004
【図１ｂ】
0006518337.tif 000005
【図２】
0006518337.tif 000006
【図３】
0006518337.tif 000007
【図４ａ】
0006518337.tif 000008
【図４ｂ】
0006518337.tif 000009
【図５】
0006518337.tif 000010
【図６】
0006518337.tif 000011
【図７】
0006518337.tif 000012
【図８】
0006518337.tif 000013